(57)【特許請求の範囲】
【請求項１】
支柱の上端に設けられる第１の幕板と、
前記第１の幕板に対しスライド機構を介して移動可能に支持される天板と、
を備え、
前記天板は四角形または略四角形あるいは長円形であり、
前記第１の幕板は、前記天板の下面中央に配され、前記天板の移動方向を天板の相対向する平行な二辺または半円形辺に対して傾斜する一対の傾斜辺を有し、
前記天板の下面に、前記第１の幕板の前記傾斜辺を挟むように対向して固定された一対の第２の幕板を更に備え、
前記第２の幕板は、前記スライド機構の幅寸法および高さ寸法よりも、厚みが厚く形成され、
前記天板は、この天板の相対向する平行な二辺または半円形辺に対し傾斜する方向に移動可能にしたことを特徴とするテーブル。
【請求項２】
前記天板の、前記第１の幕板に対する移動方向を正逆二方向とし、各方向に移動する距離を同一にし、かつ制限する請求項１に記載のテーブル。
【請求項３】
前記スライド機構にスライドレールを用い、前記天板の荷重をスライドレールの内外レール間を介して前記支柱で支持する請求項１または２に記載のテーブル。
【請求項４】
前記第１の幕板の一対の傾斜辺は、前記天板の相対向する平行な二辺または半円形辺に対して４５°傾斜して対向する請求項１〜３のいずれか一項に記載のテーブル。
【発明の詳細な説明】
【技術分野】
【０００１】
本発明は、通常、セットで使用される応接セットや椅子などのシート（座席）に対するテーブルとの間隔を簡単に変更できるようにし、シートへの人の出入りを容易にすることができるテーブルに関する。
【背景技術】
【０００２】
シートへの人の出入りを容易にすることができるテーブルに関する先行技術に、通常はテーブルが基準位置に位置決めしてロックされ、着席、離席する際にはロックを解除してテーブルを人為的に移動させることによりシートとテーブルとの間隔が広げられて、使用者の体格に限らず自然な姿勢でシートに着席、離席することができ、着席後または離席後には人為的な負荷が解除されるとテーブルが基準位置に自動復帰されて位置決めロックされるテーブルが提案されている（例えば、特許文献１参照）。
【０００３】
このテーブルは、床上の所定位置に独立して設置され、シートと所定位置関係を保って設置される自動位置決め形テーブルであって、前記テーブルは、前記シートに対し一定方向に接近、離間するよう移動可能に構成され、前記テーブルを基準位置に位置決めするロック手段と、人為的に移動されたテーブルに作用する負荷を解除させた際、前記テーブルを前記基準位置に自動復帰させる付勢手段と、前記基準位置に位置決めされたテーブルのロック状態を解除するロック解除手段とを備えた自動位置決め形テーブルである。
【先行技術文献】
【特許文献】
【０００４】
【特許文献１】特開平１１−４６８７７号公報
【発明の概要】
【発明が解決しようとする課題】
【０００５】
上記の特許文献１に記載の自動位置決め形テーブルは、基準位置に位置決めするロック手段をはじめ、そのロック解除手段および移動させたテーブルを基準位置に自動復帰させる付勢手段を備えており、構造が複雑で、製造にコストがかかる。
【０００６】
しかし、テーブルを例えばキャスター付きにして床面上で移動できるようにすると、テーブルが不用意に移動するうえ、常に定位置に設置しようとすると、移動させる度に設置位置を位置決めする必要があり、手間がかかる。
【０００７】
一方、例えばテーブルの支柱（又は脚部）を床面上の定位置に固定し、支柱に対して天板を移動可能に構成すると、シートに対して人が出入りする際に天板を移動させればよいが、ロック手段とその解除手段が備えられていないと、天板が不用意に移動し、天板上の物品が倒れたりするおそれがある。
【０００８】
本発明は上述の点に鑑みなされたもので、ソファなどのシートに対する人の出入りがスムーズで、しかも人の出入りの度に位置決めの必要がなく、構造が簡単で低コストで製造でき、天板が不用意に動作しにくいテーブルを提供することを目的としている。
【課題を解決するための手段】
【０００９】
上記の目的を達成するために本発明にかかるテーブルは、支柱の上端に設けられる第１の幕板と、前記第１の幕板に対しスライド機構を介して移動可能に支持される天板と、を備え、前記天板は四角形または略四角形あるいは長円形であり、前記第１の幕板は、前記天板の下面中央に配され、前記天板の移動方向を天板の相対向する平行な二辺または半円形辺に対して傾斜する一対の傾斜辺を有し、前記天板の下面に、前記第１の幕板の前記傾斜辺を挟むように対向して固定された一対の第２の幕板を更に備え、前記第２の幕板は、前記スライド機構の幅寸法および高さ寸法よりも厚みが厚く形成され、前記天板は、この天板の相対向する平行な二辺または半円形辺に対し傾斜する方向に移動可能にしたことを特徴とする。ここで、略四角形とは全体的には概ね四角形であるが、隅角部が円弧状に形成されていることを意味する。
【００１０】
上記の構成を有する本発明のテーブルによれば、その天板は四角形（略四角形も含む）であるから、テーブルの周囲に配置されるソファなどのシート（あるいはシートに着座する人）に対して天板の四辺の直線部分または半円形辺が相対向して位置することになる。天板はその四辺の直線部分または半円形辺、いいかえれば相対向する平行な二辺または半円形辺に対して傾斜した方向にしか移動できず、また天板はある程度の重量をもつから、天板の直線部分または半円形部分に対向する人が天板を前方へ押し付けても移動しない。一方、シートと天板との間隔を拡げるには、天板を隅角部から対向する隅角部の方向あるいは前記隅角部を含む一辺に対し傾斜（例えば４５°〜６０°）した方向へ押し付ける。このようにすれば、天板は特定のシートから離間する。その特定のシートから人が退席あるいはその特定のシートに人が着席したのち、天板を元の位置に引き（あるいは押し）戻せば、天板とシートの間隔が一定になる。
【００１１】
請求項２に記載のように、前記天板の、前記第１の幕板に対する移動方向を正逆二方向とし、各方向に移動する距離を同一にし、かつ制限することができる。
【００１２】
このようにすれば、天板の移動方向が正逆二方向となり各方向への移動距離が同一になって、人の出入りに必要な距離（例えば１２０ｍｍ）に制限されるので、便利である。
【００１３】
請求項３に記載のように、前記スライド機構にスライドレールを用い、前記天板の荷重をスライドレールの内外レール間を介して前記支柱で支持することとしてもよい。
【００１４】
このようにすれば、天板の荷重をスライドレールによって支持させるから、幕板には負荷が直接かからない。市販のスライドレールには、外レールと中間レールおよび中間レールと内レールの間にボールベアリングを介在させて移動をスムーズにしたり、最収縮状態と最伸張状態でブレーキが作用して自動的に保持されたりする製品があるから、要求に応じ適合する製品を選択して使用することができる。
【００１５】
請求項４に記載のように、前記第１の幕板の一対の傾斜辺は、前記天板の相対向する平行な二辺または半円形辺に対して４５°傾斜して対向することとしてもよい。
【００１６】
このようにすれば、幕板が補強部材として機能し、相対的に移動する対向面の耐久性を向上するので、長期間にわたり安定して使用することができる。また、天板や支柱に強度を持たせる必要がないので、とくに天板の材質やデザインが制約を受けにくい。
【発明の効果】
【００１７】
本発明にかかるテーブルには、つぎのような優れた効果がある。
【００１８】
・シート（ソファやストールを含む）に対する人の出入りがスムーズに行える。
【００１９】
・人の出入りの度にテーブルを位置決めする必要がない。
【００２０】
・テーブルの構造が簡単で比較的低コストで製造できる。
【００２１】
・ロック手段やその解除手段を備えてなくても、天板が不用意に動作して天板上のもの（例えば食器や飲み物）が倒れたりこぼれたりしない。
【図面の簡単な説明】
【００２２】
【図１】本発明の実施形態にかかるテーブルと応接セットを組み合わせた状態を示す斜視図である。
【図２】本発明の実施形態にかかるテーブルと別の応接セットを組み合わせた状態を示す斜視図である。
【図３】本発明の実施形態にかかるテーブルを下から見た状態を示す斜視図で、図３（ａ）は天板を特定方向に移動した状態を表し、図３（ｂ）は天板を元の中立位置（基準位置）に戻した状態を表し、図３（ｃ）は天板を反対方向に移動した状態を表す。
【図４】本発明の実施形態にかかるテーブルを別な位置で下から見た状態を示す斜視図で、図４（ａ）は天板を特定方向に移動した状態を表し、図４（ｂ）は天板を元の中立位置（基準位置）に戻した状態を表し、図４（ｃ）は天板を反対方向に移動した状態を表す。
【図５】本発明の実施形態にかかるテーブルを示す平面図である。
【図６】本発明の実施形態にかかるテーブルを示す正面図である。
【図７】本発明の実施形態にかかるテーブルを示す側面図である。
【図８】図５のテーブルを示す平面図において、天板５を基準位置から正逆二方向の矢印方向に移動した状態も同時に示す説明図である。
【図９】スライドレールの一例を示すもので、図９（ａ）は図９（ｃ）のａ−ａ線拡大断面図、図９（ｂ）は平面図、図９（ｃ）は正面図で、いずれもスライドレールの最伸張状態を表している。
【図１０】スライドレール７の幕板４・６に対する取付状態を拡大して示す斜視図で、一部を省略して表している。
【図１１】図１１（ａ）は上記実施形態１にかかるテーブル１を示す、正面に対し４５°傾斜した方向から見た図面で、図１１（ｂ）は図１１（ａ）のＡ部拡大図である。
【図１２】図１２（ａ）はガイド機構の異なる実施形態２にかかるテーブル１−２を示す、正面に対し４５°傾斜した方向から見た図面で、図１２（ｂ）は図１２（ａ）のＢ部拡大図である。
【図１３】図１３（ａ）はガイド機構の異なる実施形態３にかかるテーブル１−３を示す、正面に対し４５°傾斜した方向から見た図面で、図１３（ｂ）は図１３（ａ）のＡ部拡大図である。
【図１４】図１４（ａ）はガイド機構の異なる実施形態４にかかるテーブル１−４を示す、正面に対し４５°傾斜した方向から見た図面で、図１４（ｂ）は図１４（ａ）のＢ部拡大図である。
【図１５】図１５（ａ）はガイド機構の異なる実施形態５にかかるテーブル１−５を示す、正面に対し４５°傾斜した方向から見た図面で、図１５（ｂ）は図１５（ａ）のＡ部拡大図である。
【図１６】図１６（ａ）はガイド機構の異なる実施形態６にかかるテーブル１−６を示す、正面に対し４５°傾斜した方向から見た図面で、図１６（ｂ）は図１６（ａ）のＢ部拡大図である。
【発明を実施するための形態】
【００２３】
以下、本発明のテーブルについて実施の形態を図面に基づいて説明する。
【００２４】
図１および図２に示すように、テーブル１は床面Ｆ上の定位置に設置するタイプで、テーブル１の天板５が基準位置を中心に所定距離だけ正逆二方向に移動する。床面Ｆ上に設置される長方形状のベース（土台板）２上に四角柱状の支柱３が立設されている。支柱３の上端に幕板４（図３参照）が固定されている。天板５にも幕板６が設けられ、本例では支柱側の幕板４に対し天板側の幕板６が傾斜角α（＝４５°）の傾斜方向に往復移動する。また本例では、図１・図２のようにテーブル１の周囲に応接セット２１が配置される。応接セット２１は、図１ではＬ形のソファー２２と、このソファー２２の一辺（長辺）に対向する長椅子タイプのソファー２３とからなり、図２ではＩ形のソファー２４と、このソファー２４に対向して配置される２脚のスツール２５・２５からなる。
【００２５】
テーブル１は、図３および図４に示すように支柱３の上端に幕板４を設け、幕板４に対し４５°傾斜した方向に天板５（側の幕板６）が移動可能に装着されている。幕板４は平行四辺形で六角形状の本体４ａを有し、幕板本体４ａの対向する直角部が支柱３の長手方向の両側に配置されている。幕板本体４ａ上に幕板４が一体に取り付けられている。一方、天板５の下面には、図５に示すように平行四辺形幕板４の対向する平行な斜辺４ｃを、一対の直角三角形状の天板側幕板６が挟むように対向して一体に取り付けられている。平行四辺形状幕板４および直角三角形状幕板６は、図６および図７に示すように、それぞれ天板５よりも厚みが厚く形成されている。
【００２６】
そして、図３〜図５および図１１に示すように、各直角三角形状幕板６の斜辺６ｃと平行四辺形状幕板４の斜辺４ｃとの間に、スライドレール７が縦向き（上下方向）に介設されている。スライドレール７は公知の構造からなり、市販品を使用することができる。例えば、図９に示すように断面コの字状の外レール７ａ内に断面コの字状の中間レール７ｃが内装され、中間レール７ｃ内に対向して断面コの字状の内レール７ｂが内装されている。外レール７ａと中間レール７ｃ間にボールベアリング７ｄが、中間レール７ｃと内レール７ｂ間にもボールベアリング７ｄがそれぞれボールリテーナ７ｅを介して装着されている。スライドレール７は閉状態（最収縮状態）では外レール７ａ、中間レール７ｃおよび内レール７ｂがほぼ全長にわたって三重に重なり合う一方、開状態（最伸張状態）では外レール７ａに対し内レール７ｂがほぼ全長にわたり露呈するように移動し、中間レール７ｃが外レール７ａと内レール７ｂに全長のほぼ１／２ずつ跨るように移動する。本例の場合、図１０に示すように、外レール７ａが平行四辺形状幕板４の斜辺４ｃの垂直面にネジ止めされ、内レール７ｂが天板５側の直角三角形状幕板６の斜辺６ｃの垂直面にねじ７ｆにてネジ止めされるが、内レール７ｂと外レール７ａとが逆であってもよい。
【００２７】
以上のように構成される本実施形態にかかるテーブル１は、常態すなわち図８の実線に示す状態から図８の仮想線に示す状態に、天板５をその隅角部５ａを４５°の傾斜方向である矢印の方向へ押し付けることにより天板５が移動する。本例では、天板５の長辺または短辺が前方または左方へＬ（例えば１１５ｍｍ）移動する。これにより、Ｌ形ソファ２２（図１）のシートＳ１およびＳ２への着席および退席がそれぞれ自然な姿勢でスムーズに行える。しかも、天板５の移動に際し、事前の操作は一切不要で、天板５を押す位置と押す方向とを特定するだけで移動する。また、天板５を元の位置に戻すには、天板５を逆向きに押すか引くかすればよい。さらに、元の位置から天板５を逆向きに押すか引くかすれば、今度は天板５の長辺または短辺が後方または右方へＬ（例えば１１５ｍｍ）移動する。これにより、長椅子タイプのソファ２３（図１）のシートＳ３への着席および退席がそれぞれ自然な姿勢でスムーズに行える。
【００２８】
また、天板５の荷重（幕板６を含む）をある程度重くすることにより、常態において天板５の長辺または短辺を前方へ垂直方向に押しても不用意に移動しないようになる。
【００２９】
なお、図８に示すように上記実施形態では幕板４に対する天板側の幕板６の傾斜角を４５°にし、基準位置から一方への移動量を天板５の直線辺で垂直方向へ１１５ｍｍにしているが、傾斜角は４０°、５０°あるいは６０°など３０°〜６０度程度であればとくに限定されるものでなく、また移動量もテーブル１の天板５の大きさに対応して決定されるもので、とくに限定されるものでない。また、天板５の形状は長方形のほか、正方形や長円形であってもよい。
【００３０】
図１２はガイド機構の異なる別の実施形態にかかるテーブル１−２を示すもの（正面に対し４５°傾斜した方向から見た図面）で、本実施形態では図１１に示すスライドレール７に代えてガイドレール１７を用いた点が異なる。その他の構成および作用態様は上記実施形態と共通するので説明を省略し、共通の構成部材は同一の符号を用いて示す。
【００３１】
図１３はスライドレール７の向きが異なる別の実施形態にかかるテーブル１−３を示すもの（正面に対し４５°傾斜した方向から見た図面）で、本実施形態ではスライドレール７を縦向きに代えて水平方向に用いた点が異なる。その他の構成および作用態様は上記実施形態と共通するので説明を省略し、共通の構成部材は同一の符号を用いて示す。
【００３２】
図１４はガイド機構の異なる別の実施形態にかかるテーブル１−４を示すもの（正面に対し４５°傾斜した方向から見た図面）で、本実施形態では図１３のスライドレール７に代えてガイドレール１７を用いた点が異なる。その他の構成および作用態様は上記実施形態と共通するので説明を省略し、共通の構成部材は同一の符号を用いて示す。
【００３３】
図１５はガイド機構の異なる別の実施形態にかかるテーブル１−５を示すもの（正面に対し４５°傾斜した方向から見た図面）で、本実施形態ではスライドレール７やガイドレール１７を用いずにスライド機構を構成した点が異なる。すなわち、幕板４を天板側幕板６と一体に構成し、幕板４側に斜辺４ｃ（６ｃ）に沿って凹状溝１４を形成し、天板５側に凹状溝１４に沿って突起条５ｃを形成し、凹状溝１４の底面にすべりテープ１５を貼着し、凹状溝１４内に嵌め込まれる突起条５ｃが凹状溝１４に沿って摺動するようにしている。その他の構成および作用態様は上記実施形態と共通するので説明を省略し、共通の構成部材は同一の符号を用いて示す。なお、天板５側に凹状溝を設け、幕板４側に突起条を形成してもよい。
【００３４】
図１６もガイド機構の異なる別の実施形態にかかるテーブル１−６を示すもの（正面に対し４５°傾斜した方向から見た図面）で、本実施形態もスライドレール７やガイドレール１７を用いずにスライド機構を構成した点が異なる。すなわち、幕板４と天板側幕板６とに凹凸部１８・１９を斜辺４ｃ（６ｃ）に沿って形成し、幕板４と天板側幕板６の凹凸部１８・１９の水平部にすべりテープ２０を貼着して相互に摺動するようにしている。その他の構成および作用態様は上記実施形態と共通するので説明を省略し、共通の構成部材は同一の符号を用いて示す。
【符号の説明】
【００３５】
１  テーブル
２  ベース（土台板）
３  支柱
４  幕板（支柱４側）
４ａ幕板本体
４ｃ幕板４の斜辺
５  天板
５ｃ突起条
６  幕板（天板５側）
６ｃ幕板６の斜辺
７  スライドレール
７ａ外レール
７ｂ内レール
７ｃ中間レール
７ｄボールベアリング
７ｅボールリテーナ
１４  凹状溝
１５  すべりテープ
１７  ガイドレール
１８・１９  凹凸部
２０  すべりテープ
２１  応接セット
２２  Ｌ形ソファー
２３  ソファー
２４  Ｉ形ソファー２４
２５  スツール
【図１】
0005530710.tif 000002
【図２】
0005530710.tif 000003
【図５】
0005530710.tif 000004
【図６】
0005530710.tif 000005
【図７】
0005530710.tif 000006
【図８】
0005530710.tif 000007
【図９】
0005530710.tif 000008
【図１０】
0005530710.tif 000009
【図１１】
0005530710.tif 000010
【図１２】
0005530710.tif 000011
【図１３】
0005530710.tif 000012
【図１４】
0005530710.tif 000013
【図１５】
0005530710.tif 000014
【図１６】
0005530710.tif 000015
【図３】
0005530710.tif 000016
【図４】
0005530710.tif 000017